(57)【要約】【課題】  LEDを１つのバックライト装置に複数個使用するためコストアップになる。【解決手段】  透明部材よりなり略直方体形状をして、対向する両面に出射面を有する導光板１と、導光板１の一つの角部Aに面取りを施し、面取り部1aに近接して光源として1個のLED２を配設する。導光板１の表側と裏側のLCDとの間にそれぞれ拡散板３若しくは反射拡散板４と、表側集光フィルム５、６若しくは裏側集光フィルム７、８を配設する。導光板に入射した光は導光板の表側及び裏側から出射し、拡散板又は反射拡散板を透過し、更に、集光フィルムによって屈折され表側および裏側のLCDを背面から照射する。1個のLEDでバックライトの表裏を輝度ムラなく同時に照明でき、バックライト装置のコストを低減することができる。【選択図】    図２
2007052938.tif 000002
【特許請求の範囲】
【請求項１】
透明部材よりなり略直方体形状をなし、対向する両面に出射面を有する導光板と、該導光板の側面に光源を配置し、前記導光板の表面及び裏面にそれぞれ拡散板若しくは反射拡散板と集光フィルムを配設したバックライト装置において、前記導光板は略直方体形状をした一つの角部に面取りを施し、該導光板の面取り部に近接して光源を配設し、該光源から発光した光を導光板に入射するように構成したことを特徴とするバックライト装置。
【請求項２】
前記導光板の角部に施した面取り形状は、導光板の対角に法線が向く方向に形成し、直線または曲線に形成したことを特徴とする請求項１記載のバックライト装置。
【請求項３】
前記光源は少なくとも１個のLEDであることを特徴とする請求項1または２記載のバックライト装置。
【発明の詳細な説明】
【技術分野】
【０００１】
本発明は、電子機器の両面に背中合わせに配設した二つの液晶表示デバイスの中間に配設し、両面液晶表示デバイスをそれぞれ背面から照射するバックライト装置に関するものである。
【背景技術】
【０００２】
近年、各種パソコン、ゲーム機器、携帯電話などの電子機器の表示装置として、薄型で見易いバックライト機構を備えた液晶表示デバイスが広く用いられている。その中には、例えば、携帯電話のように、ケースの両面に互いに背中合わせに液晶表示デバイスの表示パネルを配設したものがある。従来、このような液晶表示デバイスのバックライトとして、表裏両面の液晶表示デバイスを照射するのに2組の照明ユニットを使用していた。しかしながら、2組の照明ユニットを用いるために、部品点数が多くなり、組み立て工数を増すと同時に、照明ユニットの厚みも厚くなり、重くなり、またコストアップになる。更に、両表示パネル用として、それどれ専用の光源（例えば、LED）を使用するので、消費電力も大きくなる。そこで、1組の照明ユニットで背中合わせの液晶表示デバイスを照射する両面発光照明ユニットの構造が提案されている。（例えば、特許文献１参照）
【特許文献１】特開２００４−７８０４７号公報（第６頁、図１）
【０００３】
上記した特許文献１に開示されているバックライト装置の概要について説明する。図３は、導光板の短辺にＬＥＤを配設した状態の平面図、図４は、バックライト装置の断面図である。図３、図４において、導光板２０は、透明なプラスチック部材などよりなる平面が略矩形形状をしており、その１つの側面に光源群として複数個のＬＥＤ２１を配置する。該複数個のＬＥＤ２１にて発光した光は、前記導光板２０に入射し、導光板２０内で反射を繰り返して伝搬される。その際、導光板２０の底に設けられたプリズムによって反射もしくは屈折した光が導光板２０の上面若しくは下面から出射される。その後、導光板２０から出射した光は拡散板２２または反射拡散板２３を透過し、更に、表側集光フィルム２４、２５と裏側集光フィルム２６、２７によって屈折され、図示しない表側ＬＣＤと裏側ＬＣＤの両方のＬＣＤを照射する。図中、２８は上記部材を収納するホルダー、２９は表側のマスキングフィルム、３０は裏側のマスキングフィルムである。
【発明の開示】
【発明が解決しようとする課題】
【０００４】
解決しようとする問題点は、近年、バックライト装置への要求は、輝度などの特性を高めるだけでなく、低コストであることも重要な要素となっている。従来、略直方体形状をした導光板の１つの側面に複数個の光源としてLEDを配設していた。この場合、LEDの個数が少な過ぎるとLEDのピッチを広く取らねばならず、この場合には、LEDと隣接するLEDの間に全く光らない暗い部分が存在して照明品質を損ねてしまう。このため、LEDは１つのバックライト装置に多く使用しなければならず、バックライト装置のコストを下げることは困難である。などの問題があった。
【０００５】
本発明は、上述した欠点を解消するもので、その目的は、1個のLEDを導光板の角部の面取り部分に配設することにより、導光板全体を網羅なく照射でき、表側と裏側のLCDの輝度バランスを調整し見栄えを向上することができる安価なバックライト装置を提供するものである。
【課題を解決するための手段】
【０００６】
上記課題を解決するために、本発明におけるバックライト装置は、透明部材よりなり略直方体形状をなし、対向する両面に出射面を有する導光板と、該導光板の側面に光源を配置し、前記導光板の表面及び裏面にそれぞれ拡散板若しくは反射拡散板と集光フィルムを配設したバックライト装置において、前記導光板は略直方体形状をした一つの角部に面取りを施し、該導光板の面取り部に近接して光源を配設し、該光源から発光した光を導光板に入射するように構成したことを特徴とするものである。
【０００７】
また、前記導光板の角部に施した面取り形状は、導光板の対角に法線が向く方向に形成し、直線または曲線に形成したことを特徴とするものである。
【０００８】
また、前記光源は少なくとも１個のLEDであることを特徴とするものである。
【発明の効果】
【０００９】
本発明のバックライト装置は、１つのLEDを導光板の角部の面取り部分に配設することにより、導光板に入射した光を導光板の表側と裏側から出射させて、同時に表側と裏側のLCDの輝度バランスを調整して見栄えを向上することが可能で、安価なバックライト装置を提供することが可能である。
【発明を実施するための最良の形態】
【００１０】
本発明のパックライト装置について、図面に基づいて説明する。
【実施例】
【００１１】
図１、図２は、本発明の実施例に係わり、図１は、バックライト装置の平面図、図２は、図１の断面図である。図１、図２において、導光板１は、透明なプラスチック部材などよりなる略直方体形状をしており、導光板１の１つの角部Aに面取りを施す。この面取り部１aの形状は、導光板１の対角に法線が向く角度に設定するのが好ましいが、面取り部１aの角度を変化させたり、曲線（例えば、凹状、凸状、S字形状）にする。この面取り部１aに近接してLED２を配置する。前記導光板１の表面側には、図２に示すように、前記導光板１と表側のLCDとの間に、拡散板３、表側集光フィルム５、６とマスキングフィルム１０の順に配置し表側LCDを照明する。同様に、導光板１の裏面側には、導光板１と裏面側LCDとの間に、拡散板４、裏側集光フィルム７、８、マスキングフィルム１１の順に配置し裏面側LCDを照明する。９は上記部材を収納するホルダーである。
【００１２】
上述した構成のバックライト装置は、LED２から導光板１に入射した光の広がり角度は略９０〜1００度程度であり、上記したように、導光板１の端面の面取り部１aの角度を変化させたり、面取り部１aの形状を直線または曲線にすることにより、LED２の光は導光板１の角部に配設した面取り部１aの端面から内部に導入され、導光板１の内部で全反射を繰り返して伝播される。導光板１の底に設けられたプリズムによって反射もしくは屈折した光が導光板１の上面若しくは下面から出射される。その後、導光板１から出射した光は拡散板３または反射拡散板４を透過し、更に、表側集光フィルム５、６と裏側集光フィルム７、８によって屈折され、図示しない表側ＬＣＤと裏側ＬＣＤの両方のＬＣＤを輝度バランスを調整し照射して見栄えを向上することができる。
【００１３】
以上述べたように、1つのバックライト装置の中には光源として1個のLEDを配設させることで、光源に起因する照明品質の低下を無くすことができ、バックライト装置のコストを低減することができるバックライト装置を提供することが可能である。
【図面の簡単な説明】
【００１４】
【図１】本発明の実施例に係わるバックライト装置の平面図である。
【図２】図１のバックライト装置の断面図である。
【図３】従来のバックライト装置の平面図である。
【図４】図３のバックライト装置の断面図である。
【符号の説明】
【００１５】
１  導光板
１ａ  面取り部
２  ＬＥＤ
３  拡散板
４  反射拡散板
５、６  表側集光フィルム
７、８  裏側集光フィルム
９  ホルダー
１０、１１  マスキングフィルム
【図１】
2007052938.tif 000003
【図２】
2007052938.tif 000004
【図３】
2007052938.tif 000005
【図４】
2007052938.tif 000006